【事件の表示】
　平成１１年特許願第３６４５０５号「刈取収穫機」拒絶査定不服審判事件〔平成１２年　５月２３日出願公開、特開２０００−１３９１６９〕について、次のとおり審決する。
【結　論】
　本件審判の請求は、成り立たない。
【理　由】
１．手続の経緯・本願発明
　本願は、平成３年４月２６日に出願した特願平３−９７５５７号の一部を平成１１年１２月２２日に新たな特許出願としたものであって、その請求項１に係る発明（以下、「本願発明」という。）は、平成１６年１０月１８日付けの手続補正書により補正された明細書の特許請求の範囲の請求項１に記載された次のとおりのものであると認める。
　
「【請求項１】  横方向に長く形成しているバリカン型の刈取装置を昇降自在に設けた刈刃支持フレームに連結し、基部をこの刈刃支持フレームに取り付けて前方に突出させた複数個の分草杆を横方向に間隔を置いて配置し、該刈取装置および刈刃支持フレームの上方に外周部を凹凸状に形成するとともに回転時に一方の凸部が他方の凹部に嵌入するように横方向に並べて設けた左右一対の掻込装置からなる掻込手段を横方向に複数配置し、平面視において、前部を前記一対の掻込装置のうち外側に位置する掻込装置の上方に位置するとともに後部を左右両端に位置する分草杆の横幅の中心を越えて斜め後方に向けて長い直線部を形成した搬送チェンと該搬送チェンの直線部に沿い且つ前端部を両掻込装置の凸部と凹部との重なり部の近くから内側に位置する掻込装置に向けて円弧状に屈曲しさらにこの円弧部を内側の掻込装置の凸部先端よりも内側に位置させている挾持杆とからなる穀稈搬送装置を設け、前部を前記別の一対の掻込装置のうち外側に位置する掻込装置の上方に位置するとともに後部を前記搬送チェンの直線部に向かう斜め後方の長い直線部及び搬送チェンと同方向の短い直線部とを有する搬送チェンと該搬送チェンの直線部に沿う挾持杆からなる穀稈搬送装置を設け、誘導始端側が二個の分草杆の横幅内で掻込装置の前方に位置し且つ誘導終端側が掻込装置の凸部と凹部との重なり側に向かうとともに誘導始端側を誘導終端側よりも横側に位置するように平面視八状に配置した左右一対の掻込誘導ベルトからなる掻込誘導手段を両掻込手段及び穀稈搬送装置における搬送始端側の上方に位置させて設け、平面視において、掻込装置の重なり部と掻込誘導ベルトの誘導終端側とを重なる位置に設けるとともに後部を左右両端の分草杆の横幅の中心を越えて反対側に位置し斜め後方に向けて長い直線部を形成した穀稈搬送装置に穀稈を誘導する掻込誘導手段の中で、機体内方に位置する掻込誘導手段の掻込誘導ベルトの先端部が二個の分草杆の幅内から内側の掻込装置及び挟扼杆の円弧部の上方を通って斜め後方に向かう直線部の途中部まで搬送チェン及び挾持杆と重なる構成とし、前記左右一対の掻込装置からなる複数の掻込手段の始端部と前記複数の搬送チェンの始端部とを前記バリカン型の刈取装置の上方に配置して構成し、前記複数個の分草杆のうち、前記掻込装置の掻込み通路に対面する分草杆は、その外径が他の分草杆の外径よりも大きく、且つ、掻込装置の掻込み通路に対面する分草杆は、その対地高さが他の分草杆の対地高さよりも低くなるよう構成し、さらに、掻込装置の掻込み通路に対面する分草杆以外の他の分草杆は、その途中部において取付けパイプを介して引起し装置のケースに連結保持して構成してなる刈取収穫機。」
　
２．引用刊行物記載の発明
２．１　引用例１記載の発明
　これに対して、当審における拒絶の理由に引用された、本願の出願日前である昭和６１年１月８日に頒布された実願昭５９−８５３６２号（実開昭６１−２０３０号）のマイクロフィルム（以下、「引用例１」という）には、図面と共に次の事項が記載されている。
　
（１−１）「第１図乃至第４図に示すように、左右一対クロ一ラ走行装置（１），（１）を備えた走行機体（２）に脱穀装置（３）、操縦部（４）及びエンジン（５）が搭載されるとともに、走行機体（２）の前部に刈取前処理部（６）が油圧シリンダ（７）によつて支点（Ｐ）を中心に上下揺動自在に連結されている。
　前記刈取前処理部（６）は、前記支点（Ｐ）を中心に上下揺動自在なパイプフレーム（８）に、植立穀稈を立姿勢に引起す４組の引起し装置（９）・・、引起された穀稈の株元を切断するバリカン型の刈取装置（１０）、及び刈取穀稈を脱穀装置（３）の左横外側面に沿つて架設したフィードチェーン（１１）に搬送供給する搬送手段を装備して４条刈りコンバインを構成してあり、以下にその搬送手段を詳述する。」（第７ページ第３〜１７行）　
（１−２）「第１図に示すように、前記刈取装置（１０）の上方には、４条の刈取穀稈を各々後方に掻込む回転パッカー（１２ａ），（１２ｂ），（１２ｃ），（１２ｄ）が機体左右方向で直線的に並設されると共に、夫々の上部から前方に向けて搬送突起付き補助ベルト（１３）・・が延出され、引起し穀稈を刈取装置（１０）に軽く引寄せて前倒れなく切断できるよう構成されている。そして、左右回転パッカー（１２ａ），（１２ｄ）は駆動回転されるとともに、中央の２つの回転パッカー（１２ｂ），（１２ｃ）は夫々隣接する外側のもの（１２ａ），（１２ｄ）に咬合連動され、もつて左側２条の刈取穀稈が対向する一対の回転パッカー（１２ａ），（１２ｂ）によつて刈取後ただちに掻込み合流され、右側の２条の刈取穀稈も同様に回転パッカー（１２ｃ），（１２ｄ）によつて後方に掻送られる。」（第７ページ第１８行〜第８ページ第１２行）
（１−３）「又、左右端の回転パッカー（１２ａ），（１２ｄ）の上部には、掻込んだ刈取穀稈を立姿勢に支持して左右２系統の搬送経路で後方上方に搬送する左右一対の第１搬送装置（１４），（１５）が設けられている。
　各搬送機構（１４），（１５）は夫々第１挾持搬送装置（１４ａ），（１５ａ）と、第１係止搬送装置（１４ｂ），（１５ｂ）とからなり、各株元挾持搬送装置（１４ａ），（１５ａ）を構成するチェーンが回転パッカー（１２ａ），（１２ｄ）の駆動用チェーンに兼用されている。
　そして、両搬送装置（１４），（１５）は後方狭まりのＶ形に配置され、刈取装置（１０）より適当距離後方で刈巾の中央寄り箇所に於て前記２系統の搬送穀稈が最終的に合流される。」（第８ページ第１３行〜第９ページ第５行）
（１−４）「又、第３図に示すように、前記パッカー（１２ａ），（１２ｄ）、左右の第１挾持搬送機構（１４ａ），（１５ａ）を構成するチェーン及び、搬送突起付き補助べルト（１３），（１３）、の夫々は下方から順次上方に向かつて同軸に駆動連結されている。」（第１０ページ第４〜８行）
（１−５）「又、右側の第１挾持搬送装置（１５ａ）は、搬送下手側端が機体のフィードチェーン（１１）側、つまり、左側に向うよう傾斜させることで刈取前処理部の前後長を短縮できるが、この傾斜による搬送装置（１５ａ）の搬送経路と隣接するパッカー（１２ｃ）との干渉を避けるため以下の構造が採用されている。
　つまり、第１図、及び第３図に示すように前記パッカー（１２ｃ）の回転軸（１８）を支承するボス部（１９）に第１挾持搬送装置（１５ａ）方向に向けてブラケット（２０）が片持ち状に固設されると共にこのブラケット（２０）には外縁が滑かな円弧状に成形されたガイド部材（２１）がボルト固定されている。このガイド部材（２１）は前記の如く傾斜角が設定された第１挾持搬送装置（１５ａ）を構成するチェーン（Ｃ）の穀稈搬送経路（Ａ）に入り込み、又、搬送装置（１５ａ）で搬送される穀稈の株元がパッカー（１２ｃ）と干渉しないよう円弧状外縁の配設位置が設定されている。又、このガイド部材（２１）はチェーン（Ｃ）の穀稈搬送面側に接当することから穀稈の通過を良くするため、又、チェーン（Ｃ）に搬送力を持たせるためにガイド部材（２１）と上下に重複する穀稈挾持杆（２２）がチェーン（Ｃ）の後端まで搬送経路（Ａ）に沿つて一連に配設され、この穀稈挾持杆（２２）は圧縮コイルバネ（２３ａ），（２３ａ）で構成される付勢機構（２３）が付加されている。」（第１０ページ第９行〜第１１ページ第１４行）
　
　上記記載事項（１−１）ないし（１−５）及び図面の記載によると、引用例１には、
「横方向に長く形成しているバリカン型の刈取装置（１０）を上下揺動自在なパイプフレーム（８）に装備し、前記パイプフレーム（８）の前方に突出させた複数個の分草杆を横方向に間隔を置いて配置し、該刈取装置（１０）の上方に外周部を凹凸状に形成するとともに回転時に一方の凸部が他方の凹部に嵌入するように横方向に並べて設けた左右一対の回転パッカー（１２ａ，１２ｂ、１２ｃ，１２ｄ）を横方向に複数配置し、平面視において、前部を前記一対の回転パッカー（１２ｃ，１２ｄ）のうち外側に位置する回転パッカー（１２ｄ）の上方に位置するとともに後部を左右両端に位置する分草杆の横幅の中心を越えて斜め後方に向けて形成した長い部分にガイド部材（２１）が当接して「へ」の字状にされたチェーン（Ｃ）と該チェーン（Ｃ）の長い部分に沿い且つ前端部を回転パッカー（１２ｃ，１２ｄ）の凸部と凹部との重なり部の近くから内側に位置する回転パッカー（１２ｃ）に向けて円弧状に屈曲しさらにこの円弧部を内側の回転パッカー（１２ｃ）の凸部先端よりも内側に位置させている穀稈挾持杆（２２）とからなる第１挾持搬送装置（１５ａ）を設け、前部を前記別の一対の回転パッカー（１２ａ，１２ｂ）のうち外側に位置する回転パッカー（１２ａ）の上方に位置するとともに後部を前記チェーン（Ｃ）の長い部分に向かう斜め後方の長い直線部を有するチェーンと該チェーンの直線部に沿う挾持杆からなる第１挾持搬送装置（１４ａ）を設け、誘導始端側が二個の分草杆の横幅内で回転パッカー（１２ａ，１２ｂ、１２ｃ，１２ｄ）の前方に位置し且つ誘導終端側が回転パッカー（１２ａ，１２ｂ、１２ｃ，１２ｄ）の凸部と凹部との重なり側に向かうとともに誘導始端側を誘導終端側よりも横側に位置するように平面視八状に配置した左右一対の搬送突起付き補助ベルト（１３）を回転パッカー（１２ａ，１２ｂ、１２ｃ，１２ｄ）及び第１挾持搬送装置（１４ａ、１５ａ）における搬送始端側の上方に位置させて設け、前記左右一対の回転パッカー（１２ａ，１２ｂ、１２ｃ，１２ｄ）の始端部と前記複数の第１挾持搬送装置（１４ａ、１５ａ）の始端部とを前記バリカン型の刈取装置（１０）の上方に配置してなるコンバインの刈取前処理部（６）。」
の発明（以下、「引用発明１」という。）が記載されていると認められる。
　
２．２　引用例２記載の発明
　また、当審における拒絶の理由に引用された、本願の出願日前である平成１年１０月２６日に頒布された実願昭６３−５３８０４号（実開平１−１５５７３１号）のマイクロフィルム（以下、「引用例２」という）には、図面と共に次の事項が記載されている。
　
（２−１）「５条刈りコンバインの刈取装置の前端には分草杆１・・が突出しており、該分草杆１・・の前端に取り付けられた分草板２・・により、倒伏穀稈を分草する。
　そして穀稈を５本の引起し装置３・４・５・６・７により引起し、株元部はタイミング付きベルトで構成された掻込搬送装置８・９・１０・１１・１２により搬送通路に案内し、刈刃１３で株元部を切断するのである。
　切断後の株元部はスターホイール１４・１５・１６・１７・１８により３本の搬送通路に導かれる。
　すなわち左端の１条の株元部は、スターホイール１８・１７によって後方の左側下部搬送装置Ａとガイド杆１９との間で構成される一本の搬送通路に案内される。
　また他の中央部の２条の各株元部は、スターホイール１６・１７によって後方の中央下部搬送装置Ｂとガイド杆２０との間で構成された搬送通路に案内される。
　さらに右端の２条の株元部は、スターホイール１４・１５によって、後方の右側下部搬送装置Ｃとガイド杆２１の搬送通路に案内されるのである。
　なおそれぞれのガイド杆１９・２０・２１は、チェーンで構成される各左右及び中央の下部搬送装置Ａ・Ｃ・Ｂの搬送側面方向に押しつけるような状態で支持体１９ａ・２０ａ・２１ａ・２１ｂによって弾性支持されている。」（第３ページ第１９行〜第５ページ第６行）
　
　上記記載事項（２−１）及び図面の記載によると、引用例２には、
「平面視において、スターホイール１４，１５の重なり部と掻込搬送装置９の誘導終端側とを重なる位置に設けるとともに後部を左右両端の分草杆１の横幅の中心を越えて反対側に位置し斜め後方に向けて長い直線部を形成した下部搬送装置Ｃに穀稈を誘導する掻込搬送装置８，９の中で、機体内方に位置する掻込搬送装置９の先端部が二個の分草杆１の幅内から内側のスターホイール１５及びガイド杆２１の円弧部の上方を通って斜め後方に向かう直線部の途中部まで下部搬送装置Ｃのチェーン及びガイド杆２１と重なる構成としたコンバインの下部搬送装置。」
の発明（以下、「引用発明２」という。）が記載されていると認められる。
　
３．対比
　本願発明と引用発明１とを対比する。ここで、本願発明は複数の穀稈搬送装置を有するので、一対の掻込装置に対応する穀稈搬送装置を穀稈搬送装置Ｒ、別の一対の掻込装置に対応する穀稈搬送装置を穀稈搬送装置Ｌと呼ぶことにする。
　引用発明１における「刈取装置（１０）」、「上下揺動自在なパイプフレーム（８）」、「分草杆」、「回転パッカー（１２ａ，１２ｂ、１２ｃ，１２ｄ）」、「一対の回転パッカー」、「チェーン（Ｃ）」、「穀稈挾持杆（２２）」、「第１挾持搬送装置（１５ａ）」、「チェーン」、「挾持杆」、「第１挾持搬送装置（１４ａ）」、「搬送突起付き補助ベルト（１３）」、「コンバインの刈取前処理部（６）」が、本願発明における「刈取装置」、「昇降自在に設けた刈刃支持フレーム」、「分草杆」、「掻込装置」、「掻込手段」、「穀稈搬送装置Ｒの搬送チェン」、「穀稈搬送装置Ｒの挾持杆、及び、挟扼杆」、「穀稈搬送装置Ｒ」、「穀稈搬送装置Ｌの搬送チェン」、「穀稈搬送装置Ｌの挾持杆」、「穀稈搬送装置Ｌ」、「掻込誘導ベルト」、「刈取収穫機」にそれぞれ対応する。
　よって、次の一致点において両者の構成は一致し、次の各相違点において両者の構成は相違する。
　
　一致点：横方向に長く形成しているバリカン型の刈取装置を昇降自在に設けた刈刃支持フレームに連結し、前方に突出させた複数個の分草杆を横方向に間隔を置いて配置し、該刈取装置および刈刃支持フレームの上方に外周部を凹凸状に形成するとともに回転時に一方の凸部が他方の凹部に嵌入するように横方向に並べて設けた左右一対の掻込装置からなる掻込手段を横方向に複数配置し、平面視において、前部を前記一対の掻込装置のうち外側に位置する掻込装置の上方に位置するとともに後部を左右両端に位置する分草杆の横幅の中心を越えて斜め後方に向けて長い部分を形成した搬送チェンと該搬送チェンの直線部に沿い且つ前端部を両掻込装置の凸部と凹部との重なり部の近くから内側に位置する掻込装置に向けて円弧状に屈曲しさらにこの円弧部を内側の掻込装置の凸部先端よりも内側に位置させている挾持杆とからなる穀稈搬送装置Ｒを設け、前部を前記別の一対の掻込装置のうち外側に位置する掻込装置の上方に位置するとともに後部を前記搬送チェンの長い部分に向かう斜め後方の直線部を有する搬送チェンと該搬送チェンの直線部に沿う挾持杆からなる穀稈搬送装置Ｌを設け、誘導始端側が二個の分草杆の横幅内で掻込装置の前方に位置し且つ誘導終端側が掻込装置の凸部と凹部との重なり側に向かうとともに誘導始端側を誘導終端側よりも横側に位置するように平面視八状に配置した左右一対の掻込誘導ベルトからなる掻込誘導手段を両掻込手段及び穀稈搬送装置における搬送始端側の上方に位置させて設け、前記左右一対の掻込装置からなる複数の掻込手段の始端部と前記複数の搬送チェンの始端部とを前記バリカン型の刈取装置の上方に配置して構成した刈取収穫機である点。
　
　相違点１：分草杆の基部が、本願発明においては刈刃支持フレームに取り付けられているのに対し、引用発明１においては、どこに取り付けられているのかが不明である点。
　
　相違点２：穀稈搬送装置Ｒにおける搬送チェンの斜め後方に向かう長い部分が、本願発明においては直線であるのに対し、引用発明１においてはガイド部材（２１）が当接して「へ」の字状にされている点。
　
　相違点３：穀稈搬送装置Ｌの搬送チェンが、本願発明においては、穀稈搬送装置Ｒの搬送チェンと同方向の短い直線部を有するのに対し、引用発明１においては、そのような直線部を有していない点。
　
　相違点４：平面視における掻込誘導ベルトの配置構成に関して、本願発明においては、掻込装置の重なり部と掻込誘導ベルトの誘導終端側とを重なる位置に設けるとともに穀稈搬送装置Ｒに穀稈を誘導する掻込誘導手段の中で、機体内方に位置する掻込誘導手段の掻込誘導ベルトの先端部が二個の分草杆の幅内から内側の掻込装置及び挟扼杆の円弧部の上方を通って斜め後方に向かう長い部分の途中部まで搬送チェン及び挾持杆と重なる構成としているのに対し、引用発明１においては、そのような構成としているか不明である点。
　
　相違点５：複数個の分草杆の外径に関して、本願発明においては、掻込装置の掻込み通路に対面する分草杆の外径が他の分草杆の外径よりも大きいのに対し、引用発明１においては、そのような構成としているか不明である点。
　
　相違点６：複数個の分草杆の対地高さに関して、本願発明においては、掻込装置の掻込み通路に対面する分草杆の対地高さが他の分草杆の対地高さよりも低くなるように構成しているのに対し、引用発明１においては、そのような構成としているか不明である点。
　
　相違点７：複数個の分草杆のうち掻込装置の掻込み通路に対面する分草杆以外の他の分草杆が、本願発明においては、その途中部において取付けパイプを介して引起し装置のケースに連結保持して構成されているのに対し、引用発明１においては、そのような構成としているか不明である点。
　
４．当審の判断
４．１　相違点１について
　刈取収穫機において、分草杆を刈刃支持フレームに取り付けることは例を示すまでもなく周知（以下、「周知技術ａ」という。）であるので、引用発明１における分草杆の取り付けに前記周知技術ａを採用し、上記相違点１における本願発明の構成を得ることは、当業者であれば容易に想到し得る事項である。
　
４．２　相違点２について
　刈取収穫機において、穀稈搬送装置における搬送チェンの斜め後方に向かう長い部分を直線とすることは、例えば、引用例２、特開昭６１−１５２２１３号公報及び実願昭６１−５３３６６号（実開昭６２−１６４７３３号）のマイクロフィルムに示されるように本願出願前において周知（以下、「周知技術ｂ」という。）であるので、引用発明１における穀稈搬送装置Ｒの搬送チェンに前記周知技術ｂを適用し、上記相違点２における本願発明の構成を得ることは、当業者であれば容易に想到し得る事項である。
　
４．３　相違点３について
　刈取収穫機において、穀稈搬送装置Ｌの搬送チェンが、穀稈搬送装置Ｒの搬送チェンと同方向の短い直線部を有するようにすることは、例えば、特開昭６１−１５２２１３号公報、特開昭６１−１４６１１６号公報及び特開昭６１−２６０８０９号公報に示されるように本願出願前において周知（以下、「周知技術ｃ」という。）であるので、引用発明１における穀稈搬送装置Ｌの搬送チェンに前記周知技術ｃを適用し、上記相違点３における本願発明の構成を得ることは、当業者であれば容易に想到し得る事項である。
　
４．４　相違点４について
　本願発明と引用発明２とを対比すると、引用発明２における「スターホイール１４，１５」、「スターホイール１４及び１５」、「掻込搬送装置８，９」、「分草杆１」、「下部搬送装置Ｃ」、「ガイド杆２１」、「チェーン」が、本願発明における「掻込装置」、「掻込手段」、「掻込誘導ベルト」、「分草杆」、「穀稈搬送装置Ｒ」、「穀稈搬送装置Ｒの挾持杆、及び、挟扼杆」、「穀稈搬送装置Ｒの搬送チェン」にそれぞれ対応するので、引用発明２は、平面視における掻込誘導ベルトの配置構成に関して、掻込装置の重なり部と掻込誘導ベルトの誘導終端側とを重なる位置に設けるとともに穀稈搬送装置Ｒに穀稈を誘導する掻込誘導手段の中で、機体内方に位置する掻込誘導手段の掻込誘導ベルトの先端部が二個の分草杆の幅内から内側の掻込装置及び挟扼杆の円弧部の上方を通って斜め後方に向かう直線部の途中部まで搬送チェン及び挾持杆と重なる構成を有しているものと認められる。
　引用発明１及び２は、ともにコンバインの搬送装置に関するものであるから、引用発明１における掻込誘導ベルトの配置構成として引用発明２における掻込誘導ベルトの配置構成を採用し、上記相違点４における本願発明の構成を得ることは、当業者であれば容易に想到し得る事項である。
　
４．５　相違点５について
　分草杆の外径は、当業者であれば分草杆に作用する外力、分草杆の材質等を考慮して適宜設定し得る設計的事項であり、配置構造の異なる分草杆同志の外径を異ならせることは、当業者にとって格別の創意工夫を要することとは認められない。しかも、穀稈が集められる掻込装置の掻込み通路に対面する分草杆が穀稈から受ける外力が、他の分草杆が穀稈から受ける外力よりも大きいことは明らかであるから、掻込装置の掻込み通路に対面する分草杆の外径を他の分草杆の外径よりも大きくして上記相違点５における本願発明の構成を得ることは、当業者であれば容易に想到し得る事項である。
　
４．６　相違点６について
　引用発明１において、分草杆は、その上方に位置する掻込装置（回転パッカー（１２ａ，１２ｂ、１２ｃ，１２ｄ））が分草杆と干渉することなく回転駆動されるために、掻込装置との間に一定のスペースを確保するように配置されていることは明らかである。そして、上記スペースは、分草杆の対地高さを一定範囲内に制限することによって確保されるものである。掻込装置の掻込み通路に対面する分草杆と他の分草杆とで、掻込装置との間に同等のスペースを確保しようとした場合、他の分草杆の上方では隣り合う掻込み装置の凹凸部が嵌入していないため、掻込装置の掻込み通路に対面する分草杆よりも他の分草杆の対地高さを高く設定し得ることは明らかである。
　また、掻込装置の掻込み通路に対面しない他の分草杆は、掻込装置の近傍において穀稈の移動を考慮する必要がない分、掻込装置の掻込み通路に対面する分草杆よりも対地高さの設定に関して自由度が高いことも明らかである。
　よって、他の分草杆の対地高さに対する制限を掻込装置の掻込み通路に対面する分草杆の対地高さに対する制限よりも緩やかにし、他の分草杆の対地高さを掻込装置の掻込み通路に対面する分草杆の対地高さより相対的に高くなるように構成することは、設計上十分に可能であり、また、本件明細書全体の記載を参酌しても、他の分草杆の対地高さを、掻込装置の掻込み通路に対面する分草杆の対地高さに比して相対的に高くなるように構成したことに格別な技術的意義も認められない。
　したがって、他の分草杆の対地高さを掻込装置の掻込み通路に対面する分草杆の対地高さよりも相対的に高くなるように構成すること、すなわち、掻込装置の掻込み通路に対面する分草杆の対地高さが他の分草杆の対地高さよりも低くなるように構成し、上記相違点６における本願発明の構成を得ることは、当業者にとって格別な創意工夫を要することとは認められない。
　
４．７　相違点７について
　一般に、構造的強度を増すために部材を他の部材に連結保持させることは、広く行われている事項である。刈取収穫機においても、複数個の分草杆のうち掻込装置の掻込み通路に対面する分草杆以外の他の分草杆を、その途中部において引起し装置のケースに連結することは、例えば、実願昭５７−１６５３５４号（実開昭５９−７０４２８号）のマイクロフィルム、実願昭５８−９１１２４号（実開昭５９−１９６０３８号）のマイクロフィルム及び特開昭６１−１５２２１３号公報に示されるように本願出願前において周知（以下、「周知技術ｄ」という。）であり、連結するための手段として取付けパイプを用いることは当業者であれば適宜選択し得る設計的事項であるので、引用発明１における分草杆に前記周知技術ｄを適用し、上記相違点７における本願発明の構成を得ることは、当業者であれば容易に想到し得る事項である。
　
４．８　本願発明の作用効果について
　本願発明の奏する作用効果に関して、本願明細書の段落【００１３】に「【発明の効果】刈取装置と分草杆との間に藁屑や泥が詰まらないので、刈取装置に過負荷がかかるのを防止できるとともに圃場にある穀稈の引っ掛けや株元部の絡みや引き抜けがなく前記作用を整然となし得る。」（以下、「明細書記載の効果」という。）と記載されている。
　本願明細書の記載、特に、段落【０００２】の「【従来の技術】 従来、刈取収穫機の刈取部の横方向に配設される各分草杆は、刈取装置の下方に設ける構成であった」という記載を参酌すると、明細書記載の効果は、分草杆を刈取装置の上方に設けることによりもたらされるものと認められるが、本願発明は分草杆と刈取装置との上下関係を特定するものではない。
　よって、上記明細書記載の効果は、本願発明が奏する効果とは認められない。
　また、請求人は、平成１６年１０月１８日付けの意見書において、本願発明の奏する効果に関して、「掻込装置の掻込み通路に対面する分草杆は、その対地高さが他の分草杆の対地高さよりも低くなるよう構成することで、掻込装置によって掻き込まれる穀稈を確実に搬送通路へと案内することが可能とな」ると主張する。
　しかしながら、掻込装置によって掻き込まれる穀稈を確実に搬送通路へと案内するためには、掻込装置、分草杆、掻込誘導手段等の位置関係等を適正に規定することが必要であると認められ、掻込装置の掻込み通路に対面する分草杆と他の分草杆の対地高さを相対的に規定することにより、掻込装置によって掻き込まれる穀稈を確実に搬送通路へと案内することができるとは認められない。
　よって、上記請求人の主張は採用できない。
　したがって、本願発明の奏する作用効果は、引用発明１及び２、並びに上記周知技術ａ乃至ｄから予測できる範囲を超えるものとは認められない。
　
５．むすび
　したがって、本願発明は、引用発明１及び２、並びに上記周知技術ａ乃至ｄに基づいて当業者が容易に発明をすることができたものであり、特許法第２９条第２項の規定により特許を受けることができない。
　よって、結論のとおり審決する。